(57)【要約】【課題】  本発明は、撮影画像と撮影対象物が持つ電子タグ内の情報を対応付けて記録する画像撮影装置を提供することを課題とする。【解決手段】  シャッターボタン５を半押し状態に操作するとタグリーダ／ライタ２は、撮影レンズ３方向に電波を送信し、撮影対象物が持つ電子タグから電子タグ情報を読み出す。このとき表示部に電子タグ情報の内容が表示される。シャッターボタン５を押して撮影を行なうと撮影画像の画像データと電子タグ情報とが対応付けられて記憶される。この撮影画像を再生する際には撮影画像と共に電子タグ情報の内容も表示することが出来る。【選択図】      図１
2005184742.tif 000002
【特許請求の範囲】
【請求項１】
撮影対象物を撮影する撮影手段と、
電子タグが記憶している電子タグ情報を読み出す電子タグ読み出し手段と、
前記撮影手段による撮影画像の画像データと、前記電子タグ読み出し手段が読み出した前記電子タグ情報を対応付けて記憶する画像記憶手段と
を備えることを特徴とする画像撮影装置。
【請求項２】
使用者による操作指示を受ける入力手段と、
使用者に表示出力を行なう出力手段と
を更に備え、
前記入力手段によって使用者から第１の指示があると、前記電子タグ読み出し手段は前記電子タグ情報を読み出し、前記出力手段は当該電子タグ情報に基づいた表示出力を行なうことを特徴とする請求項１に記載の画像撮影装置。
【請求項３】
前記入力手段によって使用者から前記第１の指示の後に第２の指示があると、前記撮影手段は撮影を行ない、前記画像記憶手段は、前記電子タグ読み出し手段が読み出した前記電子タグ情報を対応付けて記憶することを特徴とする請求項２に記載の画像撮影装置。
【請求項４】
前記画像記憶手段が記憶した画像データに基づく画像と、当該画像データに対応付けられて記憶された前記電子タグ情報に基づく情報を共に表示する再生手段を更に備えることを特徴とする請求項１乃至３のいずれか１つに記載の画像撮影装置。
【請求項５】
ネットワークに接続するネットワーク接続手段を更に備え、前記再生手段は、前記電子タグ情報に前記ネットワーク上のアドレスを示す情報が含まれていれば、前記ネットワーク上の当該アドレスを示す情報が示す位置からデータをダウンロードし、当該ダウンロードしたデータに基づく情報を表示することを特徴とする請求項４に記載の画像撮影装置。
【請求項６】
前記電子タグ情報はリンク情報を有し、前記再生手段が表示した情報に対して、使用者が前記リンク情報を指定したとき、前記再生手段は、当該リンク情報がリンクするリンク先データに基づく処理を行なうことを特徴とする請求項４又は５に記載の画像撮影装置。
【請求項７】
前記リンク先データは音声データであり、前記再生手段は前記音声データに基づく音声を出力することを特徴とする請求項６に記載の画像撮影装置。
【請求項８】
前記電子タグ読み出し手段が読み出した前記電子タグ情報に基づく情報をスルー画像と共に表示する撮影表示手段を更に備えることを特徴とする請求項１乃至７のいずれか１つに記載の画像撮影装置。
【請求項９】
画像撮影装置内で実行されるプログラムであって、
撮影対象物を撮影する機能と、
電子タグが記憶している電子タグ情報を読み出す機能と、
前記撮影手段による撮影画像の画像データと、前記電子タグから読み出した前記電子タグ情報を対応付けて記憶する機能と、
を実現するプログラム。
【発明の詳細な説明】
【技術分野】
【０００１】
本発明は、撮影対象物を撮影し、撮影画像を取り込む画像撮影装置に関する。
【背景技術】
【０００２】
近年、バーコード等によるタグの代わりに、ＲＦＩＤ（Radio Frequency ID）等による電子タグが普及してきており、それに伴ない、電子タグを用いた様々な管理システムの提案が為されている。
例えば特許文献１には、物品やサービスにデータ形式が統一されたＩＤが記憶されているＲＦＩＤタグを取り付けておき、新たな商品やサービスをデータベースに登録したり、種々のサービスを行なう際に、このＲＦＩＤタグから情報を読み取り、この情報をデータベースに登録するのに用いたり、ネットワーク上に配信したりすることによって、物品やサービスの管理を行なっている。
【特許文献１】特開２００２−１５０２４１号公報（段落［０００９］、［００４６］〜［００４８］、図１）
【発明の開示】
【発明が解決しようとする課題】
【０００３】
上記したように、電子タグを用いて物品やサービスの管理を行なうものは、現在多様なものが提案されている。しかしながら、現在提案されている電子タグを用いた管理の仕方には、電子タグによる情報と、電子タグが貼付された物品やサービスに関連する撮影画像を対応付けて管理するものは無かった。
【０００４】
本発明は、物品等を撮影すると、この撮影画像と共に撮影物に対する情報を提供することが出来る技術を提供することを課題とする。
また物品等に電子タグを付加し、この電子タグから読み取った情報と撮影した画像の関連付けを実現する技術を提供することを課題とする。
【課題を解決するための手段】
【０００５】
上記問題点を解決する為、本発明による画像撮影装置は、撮影手段、電子タグ読み出し手段及び画像記憶手段を備える。
撮影手段は、撮影対象物を撮影する。
電子タグ読み出し手段は、電子タグが記憶している電子タグ情報を読み出す。
【０００６】
画像記憶手段は、前記撮影手段による撮影画像の画像データと、前記電子タグ読み出し手段が読み出した前記電子タグ情報を対応付けて記憶する。
この構成により、撮影された撮影対象物が持つ電子タグ内の情報と撮影画像を対応付けて記憶することが出来る。
【０００７】
また使用者による操作指示を受ける入力手段と、使用者に表示出力を行なう出力手段とを更に備え、前記入力手段によって使用者から第１の指示があると、前記電子タグ読み出し手段は前記電子タグ情報を読み出し、前記出力手段は当該電子タグ情報に基づいた表示出力を行なうよう構成することも出来る。
【０００８】
この構成の場合、更に前記入力手段によって使用者から前記第１の指示の後に第２の指示があると、前記撮影手段は撮影を行ない、前記画像記憶手段は、前記電子タグ読み出し手段が読み出した前記電子タグ情報を対応付けて記憶するよう構成することが出来る。
この構成の場合、使用者の第１の指示によって電子タグから電子タグ情報を読み出し、この電子タグ情報を第２の指示によって撮影された撮影画像の画像データと対応付けて記憶することが出来る。
【０００９】
また前記画像記憶手段が記憶した画像データに基づく画像と、当該画像データに対応付けられて記憶された前記電子タグ情報に基づく情報を共に表示する再生手段を更に備える構成とすることが出来る。
この構成の場合、撮影画像を再生する際に、撮影画像と共に撮影時に読み込まれた電子タグ情報に基づく除法を表示して使用者に通知することが出来る。
【００１０】
また、本発明は、画像撮影装置内で実行されるプログラムもその範囲に含む。
【発明の効果】
【００１１】
本発明によれば、撮影画像とその撮影対象物が持つ電子タグが記憶している情報を対応付けて記録することが出来る。
また撮影画像を再生する際には、撮影時に電子タグから読み出した情報も共に使用者に表示することが出来る。これにより、使用者に撮影対象物に対するより多くの情報を提供することが出来る。
【発明を実施するための最良の形態】
【００１２】
以下に本発明に係る一実施形態を図面を参照しながら説明する。
本実施形態では、管理対象となる物品に対する情報を電子タグ情報として記憶した電子タグを付加する。そして、電子カメラ等の画像撮影装置で撮影する際に、この電子タグから電子タグ情報を読み出し、この読み出した電子タグ情報と画像撮影装置によって撮影した撮影画像を対応付けて管理し、また使用者に表示を行なう。
【００１３】
電子タグ内には、この電子タグが付加された物品に対して撮影者や、撮影画像を見る人に通知したい内容が電子タグ情報として記憶されており、画像撮影装置は撮影対象物に対する撮影を行なう前段階として、この電子タグ情報を電子タグから読み出し、これを画像撮影装置に通知する。また画像の撮影を行なった際には、この電子タグ情報を撮影画像と対応付けて記憶する。これにより、後日撮影画像を表示する際には、撮影時に読み出した電子タグ情報も共に見ることが出来る。
【００１４】
図１（ａ）は、本実施形態で用いられる画像撮影装置の概略図である。
同図の画像撮影装置１には、タグリーダ／ライタ２及びモードスイッチ６を備えている点を特徴としている。
このうちモードスイッチ６は、連動モードのＯＮ／ＯＦＦを切り替えるもので、このモードスイッチ６が連動モードＯＦＦとなっている場合には、画像撮影装置１は、カメラ等の通常の画像撮影装置として機能し、モードスイッチ６が連動モードに設定されているときは、以下に示すような撮影対象物が持つ電子タグ内の電子タグ情報を読み出して撮影画像と共に管理する処理を行なう。
【００１５】
またタグリーダ／ライタ２は、電子タグから電子タグ情報を読み出したり、情報を書き込んだりするものである。尚タグリーダ／ライタ２は、画像撮影装置１によって撮影する撮影対象が持つ電子タグのみと電波による交信を行なうため、撮影レンズ３が向いている方向への指向性を持った電波の送受信を行なうよう構成されている。
【００１６】
図１（ｂ）に、タグリーダ／ライタ２が備える送受信アンテナの一例を示す。
同図の送受信アンテナ２１は、撮影レンズ３の方向の逆側及び左右両側をシールド板２２によって覆うことにより指向性を持たせており、撮影レンズ３側の方向にある撮影対象が持つ電子タグに対して電波の送受信を行なうよう構成されている。尚同図のアンテナの構成は一例であり、他の構成によって指向性を持たせてもよい。また、アンテナを撮影レンズ３近傍に設けたり、短波帯やマイクロ波帯等の高周波数帯の送受信電波を用いて指向性を高めたり、電界強度を測定することによって対象を特定するようにしてもよい。
【００１７】
図１（ａ）の画像撮影装置１は、モードスイッチ６が連動モードに設定された状態でシャッターボタン５が半押し状態に操作されると、タグリーダ／ライタ２は撮影レンズ３が向いている方向に対して電波を発信し、物品に付加されている電子タグから応答の電波を受信し、得られた電子タグ情報を記憶する。またこの情報を撮影レンズ３によって写されているスルー画像と共に不図示の表示部に表示する。そしてこの状態でシャッターボタン５が全押しされると、画像が取り込まれて撮影が行なわれると共に撮影画像と電子タグから読み出した電子タグ情報が関連付けられて記憶される。
【００１８】
図２は、図１の画像撮影装置１の内部構成例を示すブロック図である。
同図の例では画像撮影装置１は、Ａ／Ｄ変換器１３、画像処理部１５、入出力制御部１６、画像処理用メモリ１９、電子タグ用メモリ２０、画像メモリ２３、通信インタフェース２４、メモリカードインタフェース２５及びタグリーダ／ライタ２７がバスライン２８によって接続され、バス２８によって互いにデータをやり取りできるように構成されている。
【００１９】
レンズ１０は、ガラスまたはプラスチックからなる光学レンズ及びその駆動装置からなり、撮影制御部１４からの制御指示によって光軸方向に駆動して焦点合わせを行なったり、ズーム機能を実現したりする。ＣＣＤ１１は、光信号を電気信号に変換するもので、レンズ１０を介して結像された被写体の光学像を光電変換し、被写体の光学像に応じたアナログの撮像信号を出力する。撮像プロセス１２は、撮影制御部１４からの制御指示指示があると、ＣＣＤ画像記録装置１１から入力されたアナログ信号を増幅し、サンプリングしてＡ／Ｄ変換器１３に出力するものである。Ａ／Ｄ変換器１３は、撮影制御部１４から入力されたアナログ信号をデジタル信号に変換するものである。撮影制御部１４は、画像撮影装置１による画像の撮影処理の制御を司るもので、内部に記憶したプログラムを実行することにより、レンズ１０を制御して焦点合わせやズーム機能を実現したり、ＣＣＤ１１や撮像プロセス１２を制御して撮影画像を画像データを画像メモリに記録する等の撮影機能を実現する。画像処理部１５は、撮影を行なう際に、Ａ／Ｄ変換器１５からの出力に対して、事前に設定されている種々の撮影条件を考慮した画像処理を行なった後、圧縮処理を行ない撮影画像の画像データを生成する。また画像処理部１５は、Ａ／Ｄ変換器１５から出力されるスルー画像の画像データに電子タグ用メモリ２０内の表示情報を合成した画像の画像データを画像処理用メモリ１９に生成する。
【００２０】
入出力制御部１６は、内部に記憶したプログラムを実行することにより、使用者による入力部１７からの入力指示に対する各種処理や出力部１８で表示するスルー画像や各種情報の表示を表示する為の処理制御を行なうものである。入力部１７は、使用者が操作入力を行なうためのスイッチ等で、シャッターボタン、電源キー、モード選択キー、十字キー、決定キー等の複数の操作キーを含む構成となっており、使用者によるキー操作に応じたキー入力信号を入出力制御部１６に出力する。出力部１８は、カラーＬＣＤとその駆動回路とを有し、ＣＣＤ１１によって撮像された被写体画像をスルー画像として表示したり、画像メモリ２３やメモリカードに記憶されている撮影画像を表示する。また出力部１８は、音声を出力するスピーカーや音声アンプ等を含み、後述する表示情報に音声データが含まれるときは、入出力制御部１６が、この音声データを処理して生成した音声信号を出力部１８から外部に出力する。画像処理用メモリ１９は、画像処理部１５が画像処理を行なった画像データを格納するメモリで、入出力制御部入出力制御部１６は、このメモリ内の画像データに基づいて出力部１８による表示を行なったり、撮影画像の画像データを画像メモリ２３に格納する。電子タグ用メモリ２０は、タグリーダ／ライタ２７が電子タグから読み出した情報を記憶するメモリである。画像メモリ２３は、画像撮影装置１によって撮影された複数の撮影画像のデータが記憶されるメモリである。通信インタフェース２４は、通信回線と接続してデータの授受を行なうものである。また通信インタフェース２４は、インターネット等のネットワークと接続し、ネットワーク上のサイトとデータの授受を行なう。メモリカードインタフェース２５は、画像データを保存するメモリカードをマウントするインタフェースで、使用者の指示に基づいて入出力制御部１６は、画像メモリ２３内の画像データをメモリカードインタフェース２５がマウントしているメモリカードへ転送する。タイマ２６は、日時を計時するもので、入出力制御部１６は、このタイマ２６によって計時されている日時をシステム日時とする。
【００２１】
タグリーダ／ライタ２７は、入出力制御部１６からの指示によって電子タグに対するアクセスを行なうもので、制御部２７１、メモリ２７２、送受信部２７３及びアンテナ２７４を備えている。
入出力制御部１６から電子タグの読み出し／書き込み指示があると、制御部２７１は、送受信部２７３に電波を送信させ、応答として受信した電波を送受信部２７３でデジタルデータに変換後、メモリ２７２に記憶する。また入出力制御部１６から電子タグから読み出したデータを要求されると、制御部２７１は、メモリ２７２に記憶されているデータを電子タグ用メモリ２０に転送する。
【００２２】
図３は、画像撮影装置１によって撮影される撮影対象物に付加される電子タグ内に記憶され、タグリーダ／ライタ２７によって読み出し可能な電子タグ情報の構成例を示す図である。
電子タグ内には、電子タグ情報としてＩＤコード３１及び表示情報３２が記憶されている。画像撮影装置１のタグリーダ／ライタ２７からの電波を受けると電子タグは、このＩＤコード３１と表示情報３２を応答として電波によって返信する。
【００２３】
ＩＤコード３１は、各電子タグを一意に識別する識別子である。表示情報は、この電子タグが付加された物品に対する種々の情報を示すもので、例えば電子タグが付加された物品が商品であるならば、その物品の広告情報、価格や販売先（住所、ＵＲＬなど）等、物品が展示物であるならばその物品に対する説明情報等、画像や動画、音楽といったコンテンツの記録媒体（ＣＤ、ＤＶＤ等）であれば、その説明や音楽や映像の一部等の情報を表示情報３２として電子タグ内に記憶する。そして本実施形態では電子タグが付加された物品が画像撮影装置１によって撮影されると、この撮影画像の付加情報として表示情報３２が共に格納され、後日撮影画像の表示を行なう際にはこの表示情報３２に基づいた情報も撮影画像と共に表示される。
【００２４】
尚この表示情報３２としては上記した各種情報をそのまま記憶するのではなく、これらの情報が格納されているネットワーク上の位置を示す情報（ＩＰアドレス、ＵＲＬなど）を記憶し、撮影画像を表示する際には、ネットワークを介してこれらの情報を読み出して共に表示するように構成してもよい。
【００２５】
図４は、画像メモリ２３内に記憶されている撮影画像についてのデータの構成例を示す図である。
画像メモリ２３には画像撮影装置１によって撮影された複数の撮影画像についてのデータが記憶されている。このデータには画像情報と電子タグ情報があり、画像撮影装置１によって撮影された撮影画像についての情報である画像情報は、電子タグから読み出した電子タグ情報と対応付けられて画像メモリ２３内に記憶される。そしてこの画像メモリ２３内の撮影画像は、入力部１７からの使用者による指示によって読み出され、対応付けられている電子タグ情報内の表示情報と共に出力部１８に表示される。
【００２６】
或いは、この画像メモリ２３内のデータは、画像撮影装置１の外部の情報処理装置に、メモリカードインタフェース２５にマウントされているメモリカードを介して読み込まれたり、或いは通信インタフェース２４によるネットワーク通信によって送られる。そしてこの情報処理装置上において、使用者の操作指示に基づいて、対応付けられている表示情報と共に表示出力されたり、印刷出力されたりする。
【００２７】
図４の構成例では、１つの撮影画像に対するデータには、ＪＰＥＧ等の撮影画像の画像データ４１の他に属性情報４２として撮影日時や撮影時の設定（ホワイトバランス、シャッタースピード、絞り等）等が記憶されている。また撮影時にモードスイッチ６が連動モードに設定されていたときは、この属性情報４２には電子タグから読み出したＩＤコードから生成した電子タグの識別子が含まれている。また、電子タグから読み出した電子タグ情報としては、ＩＤコードから生成された識別子４３及び表示情報４４が記憶されており、この電子タグ情報と画像情報は属性情報４２内の識別子と識別子４３によって関連付けられている。
【００２８】
このようなデータ構成で格納されている撮影画像に対して、使用者が入力部１７を操作して１つの画像を指定すると、対応する撮影画像の画像情報が、出力部１８上に表示を行なう為に画像メモリ２３若しくはメモリカードインタフェース２５にマウントされているメモリカードから読み出され、また電子タグの識別子によって対応付けられた電子タグ情報も共に読み出される。そしてこれらの情報から、画像処理部１５は、撮影画像に表示情報による表示を加えた表示画像データを生成して画像処理用メモリ１９に格納すると、入出力制御部１９はこの画像処理用メモリ１９内のデータに基づいて出力部１８に表示を行なう。
【００２９】
図５は、撮影画像の表示例を示す図である。
同図（ａ）は、商品（バッグ）を撮影した画像を出力部１８に表示させた場合の表示例を示すもので、撮影されたバッグの画像と共にこのバックに付加されていた電子タグから読み出した表示情報が画面上に表示されている。この表示情報としては、商品であるバッグ対する説明や価格等の文字情報５１ａが、撮影画像と共に表示されており、また文字情報５１ａには、リンク情報５２ａが設定されており、使用者が出力部１８の表示画面上から入力部１７の十字キーや決定キー等を操作してこのリンク情報５２ａを指定すると、画像撮影装置１は、通信インタフェース２４によってリンク情報５２ａが指定しているネットワークアドレスにあるサイトに接続して対応情報を読み込み、出力部１８上に表示することによってバックに対するより詳しい情報を使用者に示すことが出来る。
【００３０】
また同図（ｂ）は、撮影画像が音楽ＣＤ（コンパクトディスク）に対するものであった場合の例で、同図の場合は撮影画像にＣＤ内のコンテンツ（音楽）に対する説明や価格等の文字情報５１ｂには、同図（ａ）と同様のネットワーク上のサイトへのリンク情報５２ｂの他に、試聴用のサンプル曲のデータへのリンク情報５３ｂが設定されている。このリンク情報５３ｂは、図４に示した表示情報４４内での音声データの位置、若しくは音声データを保持しているネットワーク上のサイトの位置を示すもので、使用者が入力部１７を操作して出力部１８の表示画面上からこのリンク情報５３ｂを指定すると、入出力制御部１６はリンク情報５３ｂの示す位置から音声データを読み出し、これを処理して生成したサンプル曲の音声信号を出力部１８から外部に出力する。尚リンク情報５３ｂは、音声データのみでなく、静止画像データや動画像データをリンクしても良く、この場合にこのリンク５３ｂを使用者が指定すると対応するデータが読み出され、出力部１８上に静止画や動画が表示される。
【００３１】
尚上記説明では、図５（ａ）、（ｂ）の画像を画像撮影装置１の出力部１８上に表示していたが、画像情報及び電子タグ情報を情報処理装置に読み込ませ、この情報処理装置において表示画面上に同様の表示を行なったり、リンク情報を用いて、ネットワーク上の情報を読み込んだり、種々の情報を再生してもよい。
【００３２】
図６は、画像撮影装置１のシャッターボタン５を半押し状態にしたときの画像撮影装置１の動作処理を示すフローチャートである。画像撮影装置１は、シャッターボタン５を半押し状態にされると、タグリーダ／ライタ２７から電波を送信し、電子タグから情報の読み出しを行なう。
【００３３】
尚同図の処理は、入出力制御部１６が自己の内部メモリに記憶されているプログラムを実行することによって実現される。
使用者によって、シャッターボタン５が半押し状態にされると本処理は開始され、入出力制御部１６は、まず初期化処理として画像処理用メモリ１９をクリアし（ステップＳ１）、次に電子タグ用メモリ２０をクリアする（ステップＳ２）。
【００３４】
次に入出力制御部１６は、ステップＳ３として画像処理用メモリ１９へＡ／Ｄ変換器１３から出力される画像データを取り込む。そしてステップＳ４として、この画像データを元に出力部１８にスルー画像を表示する。そしてこの状態において、モードボタン６が連動モードに設定されていなければ（ステップＳ５、Ｎ）、画像撮影装置１は撮影対象物が持つ電子タグ内の電子タグ情報に連動した処理を行なわないので本処理を終了する。
【００３５】
ステップＳ５において、モードボタン６が連動モードに設定されていれば（ステップＳ５、Ｙ）、ステップＳ６としてタグリーダ／ライタ２７に電子タグから電子タグ情報を読み出させる。その結果、撮影対象物が電子タグを有していない等、情報を読み出せなかったときは（ステップＳ７、Ｎ）、本処理を終了する。
【００３６】
ステップＳ７において、電子タグから電子タグ情報を読み出すことが出来たときは（ステップＳ７、Ｙ）、ステップＳ８としてその情報をタグリーダ／ライタ２７から電子タグ用メモリ２０に転送して記憶させる。
次に入出力制御部１６は、ステップＳ９として電子タグから読み出したＩＤコードを元に電子タグの識別子を生成し、画像処理用メモリ１９へ記憶する（ステップＳ１０）。そしてステップＳ１１として、電子タグ用メモリ内の電子タグから読み出した表示情報を画像に重畳する等して両者を共に出力部１８へ表示を行ない、本処理を終了する。
【００３７】
図７は、画像の撮影時に画像撮影装置１内で行なわれる動作処理を示すフローチャートである。同図の処理も、入出力制御部１６が自己の内部メモリに記憶されているプログラムを実行することによって実現される。
本処理は、使用者によってシャッターボタン５が押下されると開始され、ステップＳ２１として入出力制御部１６は、撮像制御部１４に対して撮影を指示し、撮像制御部１４は、画像処理部１５によってＡ／Ｄ変換器１３からの出力データに対してホワイトバランス等設定されているパラメータによって補正を加えた後に圧縮を行ない画像データを生成して画像処理用メモリ１９に格納する。そして入出力制御部１６は、この画像データを画像処理用メモリ１９から画像メモリ２３へ転送して記憶する。
【００３８】
次に入出力制御部１６は、その撮影画像に対して、図６のステップＳ９で識別子が生成されて画像処理用メモリ１９に格納されているかどうかを判断し、識別子が生成されていれなければ（ステップＳ２２、Ｎ）、連動モードによる撮影ではないので本処理を終了する。
【００３９】
ステップＳ２２で、識別子が生成されていれば（ステップＳ２２、Ｙ）、電子タグから読み出した情報と撮影画像を関連付けて記憶するので、この識別子と共に電子タグ用メモリ２０内の表示情報を画像メモリ２３に保存する（ステップＳ２３）。
次に入出力制御部１６は、ステップＳ２４としてタグリーダ／ライタ２７を用いて電子タグに対して再度情報を読み出して照合を行なう。そしてタイマ６から日時情報を読み出し（ステップＳ２５）、これをステップＳ２６として画像撮影装置１のＩＤコードと共に電子タグに書き込んだ後本処理を終了する。尚ステップＳ２６で電子タグに書き込んだ日時情報やＩＤコードは、後日、撮影対象物となった物品がいつどの画像撮影装置１によって撮影が為されたかを調べる等の目的で用いられる。
【００４０】
この図６、７の処理により本実施形態の画像撮影装置では、撮影した画像の画像データと、撮影対象物が持つ電子タグから読み出した電子タグ情報を対応付けて記録することが出来る。
図８は、画像撮影装置１によって撮影された画像を再生する際に行なわれる処理を示すフローチャートである。同図の処理は画像撮影装置１、若しくは画像撮影装置１が撮影した撮影画像のデータを読み込んだ情報処理装置内によって実施され、画像撮影装置１内で行なわれる際には、入出力制御部１６が自己の内部メモリに記憶されているプログラムを実行することによって実現され、情報処理装置内で実行される際には、情報処理装置内のメモリ上のプログラムをＣＰＵが実行することによって実現される。
【００４１】
同図の処理が開始されると、まずステップＳ３１として使用者によって指定された画像の画像情報を読み出す。そしてこの画像情報内の属性情報に識別子が設定されて無ければ（ステップＳ３２、Ｎ）、ステップＳ４０として画像のみの表示処理を行ない、処理をステップＳ４１に移す。
【００４２】
ステップＳ３２において、属性情報に識別子が設定されていれば（ステップＳ３２、Ｙ）、ステップＳ３３としてこの識別子に対応する電子タグ情報内の表示情報を読み出す。そしてこの表示情報がネットワーク上のサイトへのリンク情報でない場合は（ステップＳ３４、Ｙ）、ステップＳ３７として画像と重畳する等、その表示情報が示す情報を画像データと共に表示する。
【００４３】
またステップＳ３４において、表示情報がネットワーク上のサイトへのリンク情報であったなら（ステップＳ３４、Ｙ）、ステップＳ３５としてそのリンク情報先のサイトへ接続し、リンク情報が示すデータをダウンロードし（ステップＳ３６）、ステップＳ３７としてダウンロードしたデータに基づいた表示内容を画像データと共に表示する。
【００４４】
この状態において、使用者によって表示画面上からリンク情報を操作指定されれば（ステップＳ３８、Ｙ）、ステップＳ３４としてそのリンク情報が示すリンク先からデータを読み込み、そのデータを実行する。このステップＳ３４の処理としては、リンク先から読み込んだデータの画面上への表示や、読み込んだデータが音声データや画像データであった場合、そのデータの再生処理を行なう。
【００４５】
ステップＳ３８で、使用者によってリンクの操作が行なわれなければ（ステップＳ３８、Ｎ）、再生終了の操作入力が使用者によって行なわれるまでステップＳ３１〜Ｓ４１の処理を繰り返し（ステップＳ４１、Ｎ）、使用者によって再生終了の操作指示があると（ステップＳ４１、Ｙ）、本処理を終了する。
【００４６】
このように、本実施形態の画像撮影装置によって撮影された撮影画像のデータには、撮影時に電子タグから読み出した表示情報が関連付けられて記憶されているので、画像を再生表示する際には、この表示情報を共に表示させることが出来る。よって、撮影対象となった物品に対する情報を撮影画像に付加することが出来、撮影対象物に対するより多くの情報を使用者に提供することが出来る。
【００４７】
尚本実施形態の画像撮影装置は、単体の装置としてのみだけでなく、他の装置の一部、例えば携帯電話の一部として構成してもよい。
【図面の簡単な説明】
【００４８】
【図１】（ａ）は本実施形態の画像撮影装置の概略図、（ｂ）はタグリーダ／ライタが備える送受信アンテナの一例を示す図である。
【図２】画像撮影装置の内部構成例を示すブロック図である。
【図３】撮影対象物に付加される電子タグ内に記憶されている電子タグ情報の構成例を示す図である。
【図４】画像メモリ内に記憶されている撮影画像についてのデータの構成例を示す図である。
【図５】撮影画像の表示例を示す図である。
【図６】シャッターボタンを半押し状態にしたときの画像撮影装置の動作処理を示すフローチャートである。
【図７】画像の撮影時に画像撮影装置内で行なわれる動作処理を示すフローチャートである。
【図８】画像撮影装置によって撮影された画像を再生する際に行なわれる処理を示すフローチャートである。
【符号の説明】
【００４９】
１              画像撮影装置
２              タグリーダ／ライタ
３              撮影レンズ
５              シャッターボタン
６              モードスイッチ
１０            レンズ
１１            ＣＣＤ
１２            撮像プロセス
１３            Ａ／Ｄ変換器
１４            撮影制御部
１５            画像処理部
１６            入出力制御部
１７            入力部
１８            出力部
１９            画像処理用メモリ
２０            電子タグ用メモリ
２１            送受信アンテナ
２２            シールド板
２３            画像メモリ
２４            通信インタフェース
２５            メモリカードインタフェース
２６            タイマ
２７            タグリーダ／ライタ
２８            バスライン
【図１】
2005184742.tif 000003
【図２】
2005184742.tif 000004
【図３】
2005184742.tif 000005
【図４】
2005184742.tif 000006
【図５】
2005184742.tif 000007
【図６】
2005184742.tif 000008
【図７】
2005184742.tif 000009
【図８】
2005184742.tif 000010